(57)【要約】ビデオ／オーディオ情報のような順序付けられたＡ／Ｖ情報信号のシーケンス及びビデオ管理、メニュ情報又はファイル情報のような対応する管理情報信号を、光学的に記録可能及び読取可能なディスクのようなライトワンス型のディスク状記録媒体に連続的に記録する方法である。記録された情報は、読取専用型又は書換可能型のディスクにより規定される斯様な情報の順序付け要件に従う。該方法は、当該ディスクの線形アドレス指定空間内に予約領域を配置するステップと、上記Ａ／Ｖ情報信号を上記予約領域に続いて配置されるビデオ記録領域に連続的に記録するステップと、対応する管理データを上記ビデオ記録領域に続く一時総覧空間に記録するステップと、該記録された管理データを上記予約空間におけるアドレスロケーションにマッピングするためのマッピングテーブルを発生するステップと、該マッピングテーブルを上記一時総覧空間に記録するステップとを有している。当該ディスクをファイナライズ処理する場合に、上記の記録された管理情報信号は最新のマッピングテーブル情報に対応して上記予約領域にコピーされ、該予約領域の残りの未記録区域は任意のデータ信号により記録される。
2005505093.tif 000002
【特許請求の範囲】
【請求項１】
ビデオ／オーディオ情報のような順序付けられたＡ／Ｖ情報信号のシーケンス及びビデオ管理、メニュ情報又はファイル情報のような対応する管理情報信号を、光学的に記録可能及び読取可能なディスクのようなライトワンス型のディスク状記録媒体に連続的に記録する方法であって、前記記録された情報が、読取専用型又は書換可能型のディスクにより規定される前記情報の順序付け要件に従うような方法において、
−  線形なアドレス指定空間内に予約領域を配置するステップと、
−  前記Ａ／Ｖ情報信号を、前記予約領域に続いて配置されるビデオ記録領域に連続的に記録するステップと、
−  対応する管理データを、前記ビデオ記録領域に続く一時総覧空間に記録するステップと、
−  前記記録された管理データを、前記予約空間におけるアドレスロケーションにマッピングするためのマッピングテーブルを発生するステップと、
−  該マッピングテーブルを前記一時総覧空間に記録するステップと、
を有していることを特徴とする方法。
【請求項２】
請求項１に記載の方法において、
−  Ａ／Ｖ情報信号の次のシーケンスを、前に記録された領域に続く次のビデオ記録領域に連続的に記録するステップと、
−  次の対応する管理データを、前記次のビデオ記録領域に続く次の一時総覧空間に記録するステップと、
−  前記最初の及び次の記録された管理データを、前記予約空間におけるアドレスロケーションにマッピングするためのマッピングテーブルを発生するステップと、
−  該マッピングテーブルを前記次の一時総覧空間に記録するステップと、
を有していることを特徴とする方法。
【請求項３】
請求項１又は請求項２に記載の方法において、
−  更新された対応する管理データを発生するステップと、
−  少なくとも前記更新された管理データを、前の一時総覧空間に続く次の一時総覧空間に記録するステップと、
−  前記更新された管理データ及び残りの管理データを前記予約空間におけるアドレスロケーションにマッピングするための更新されたマッピングテーブルを発生するステップと、
−  前記更新されたマッピングテーブルを、前記次の一時総覧空間に記録するステップと、
を有することを特徴とする方法。
【請求項４】
請求項１ないし３の何れか一項に記載の方法において、
−  前記記録された管理データを、前記予約領域に最新の前記マッピングテーブルの情報に対応してコピーするステップと、
−  前記予約領域の残りの未記録の区域を任意のデータ信号で記録するステップと、
−  前記予約領域に先行するリードイン領域を、読取専用型の又は書換可能型のディスクの規定に従うデータで記録するステップと、
−  記録された領域に続くリードアウト領域を、読取専用型の若しくは書換可能型のディスクの規定に従うデータ又は実際のビデオ記録セッションを閉じるための閉鎖データで記録するステップと、
を有していることを特徴とする方法。
【請求項５】
請求項４に記載の方法において、
−  記録されたアドレスロケーション及び前記予約領域内の対応する目標アドレスロケーションを含むマッピング項目のリストを含むようなマッピングテーブルを記録するステップ、
を有していることを特徴とする方法。
【請求項６】
請求項４に記載の方法において、
−  前記予約領域における全ての対応する目標アドレスロケーションを含むマッピングロケーションのリストを含むようなマッピングテーブルを記録するステップ、
を有していることを特徴とする方法。
【請求項７】
請求項４に記載の方法において、
−  記録される各マッピングテーブルに対してバージョン番号を記録するステップ、
を有していることを特徴とする方法。
【請求項８】
請求項４に記載の方法において、
−  前記マッピングテーブルに、前に記録されたマッピングテーブルのアドレスロケーションを記録するステップ、
を有していることを特徴とする方法。
【請求項９】
請求項４に記載の方法において、各項目に対して当該項目がマッピングされるべきか否かを示すマッピング状態を記録するステップを有していることを特徴とする方法。
【請求項１０】
請求項４に記載の方法において、
−  前記管理データのバックアップバージョンを前記一時総覧空間に記録するステップと、
−  前記管理データのバックアップバージョンを含み、該バックアップバージョンがマッピングされないことを示すマッピング状態を含むようなマッピングテーブルを発生するステップ、
を有することを特徴とする方法。
【請求項１１】
請求項４に記載の方法において、
−  前記マッピングテーブルに、ファイルシステムのバックアップの位置を記録するステップ、
を有していることを特徴とする方法。
【請求項１２】
ビデオ／オーディオ情報のような順序付けられたＡ／Ｖ情報信号のシーケンス及びビデオ管理、メニュ情報又はファイル情報のような対応する管理情報信号を連続的に記録する記録装置であって、該記録された情報が読取専用型の又は書換可能型のディスクにより規定される前記情報の順序付け要件に従い、該記録装置が、
−  光学的に記録可能及び読取可能なディスクのようなライトワンス型のディスク状記録媒体を担持及び回転させる手段と、
−  収束されたレーザビームを前記ディスク状記録媒体のトラックにわたって走査させる手段と、
−  前記レーザビームを、前記ディスク状記録媒体に記録されるべきデジタル情報信号に従って変調する手段と、
−  前記ディスク状記録媒体を走査する前記レーザビームの反射を検出すると共に、該反射を読み取られるべきデジタル情報信号に変換する手段と、
−  入力されたデジタルＡ／Ｖ情報信号を、記録されるべき情報信号に変調する手段と、
−  前記デジタル情報信号の記録及び読取を制御する制御手段と、
を有するような記録装置において、前記制御手段が、
−  前記ディスク状記録媒体上の線形なアドレス指定空間内に予約領域を配置し、
−  前記Ａ／Ｖ情報信号を、前記予約領域に続いて配置されるビデオ記録領域に連続的に記録し、
−  対応する管理データを、前記ビデオ記録領域に続く一時総覧空間に記録し、
−  前記記録された管理データを前記予約空間におけるアドレスロケーションにマッピングするためのマッピングテーブルを発生し、
−  該マッピングテーブルを前記一時総覧空間に記録する、
ように構成されていることを特徴とする記録装置。
【請求項１３】
請求項１２に記載の記録装置において、前記制御手段が、
−  Ａ／Ｖ情報信号の次のシーケンスを、前に記録された領域に続く次のビデオ記録領域に連続的に記録し、
−  次の対応する管理データを、前記次のビデオ記録領域に続く次の一時総覧空間に記録し、
−  前記最初の及び次の記録された管理データを前記予約空間におけるアドレスロケーションにマッピングするためのマッピングテーブルを発生し、
−  該マッピングテーブルを前記次の一時総覧空間に記録する、
ように構成されていることを特徴とする記録装置。
【請求項１４】
請求項１２又は請求項１３に記載の記録装置において、前記制御手段が、
−  更新された対応する管理データを発生し、
−  少なくとも前記更新された管理データを、前の一時総覧空間に続く次の一時総覧空間に記録し、
−  前記更新された管理データ及び残りの管理データを前記予約空間におけるアドレスロケーションにマッピングするための更新されたマッピングテーブルを発生し、
−  前記更新されたマッピングテーブルを、前記次の一時総覧空間に記録する、
ように構成されていることを特徴とする記録装置。
【請求項１５】
請求項１２ないし１４の何れか一項に記載の記録装置において、前記制御手段が、
−  前記記録された管理データを前記予約領域に最新の前記マッピングテーブルの情報に対応してコピーし、
−  前記予約領域の残りの未記録の区域を任意のデータ信号で記録し、
−  前記予約領域に先行するリードイン領域を、読取専用型の又は書換可能型のディスクの規定に従うデータで記録し、
−  記録された領域に続くリードアウト領域を、読取専用型の若しくは書換可能型のディスクの規定に従うデータ又は実際のビデオ記録セッションを閉じるための閉鎖データで記録する、
ように構成されていることを特徴とする記録装置。
【請求項１６】
請求項１５に記載の記録装置において、前記制御手段が、記録されたアドレスロケーション及び前記予約領域内の対応する目標アドレスロケーションを含むマッピング項目のリストを含むようなマッピングテーブルを記録するように構成されていることを特徴とする記録装置。
【請求項１７】
請求項１５に記載の記録装置において、前記制御手段が、前記予約領域における全ての対応する目標アドレスロケーションを含むマッピングロケーションのリストを含むようなマッピングテーブルを記録するように構成されていることを特徴とする記録装置。
【請求項１８】
請求項１５に記載の記録装置において、前記制御手段が、記録される各マッピングテーブルに対してバージョン番号を記録するように構成されていることを特徴とする記録装置。
【請求項１９】
請求項１５に記載の記録装置において、前記制御手段が、前記マッピングテーブルに前に記録されたマッピングテーブルのアドレスロケーションを記録するように構成されていることを特徴とする記録装置。
【請求項２０】
請求項１５に記載の記録装置において、前記制御手段が前記マッピングテーブルに各マッピング項目に対するマッピング状態を記録するように構成され、該マッピング状態は当該項目がマッピングされるべきか否かを示すことを特徴とする記録装置。
【請求項２１】
請求項１５に記載の記録装置において、前記制御手段が、
−  前記管理データのバックアップバージョンを前記一時総覧空間に記録し、
−  前記管理データのバックアップバージョンを含み、該バックアップバージョンがマッピングされないことを示すマッピング状態を含むようなマッピングテーブルを発生する、
ように構成されていることを特徴とする記録装置。
【請求項２２】
請求項１５に記載の記録装置において、前記制御手段が、前記マッピングテーブルにファイルシステムのバックアップの位置を記録するように構成されていることを特徴とする記録装置。
【発明の詳細な説明】
【技術分野】
【０００１】
本発明は、ビデオ／オーディオ情報のような一連の順序づけられたＡ／Ｖ情報信号及びビデオ管理、メニュ情報又はファイル情報のような対応する管理情報信号を、光学的に記録可能及び読取可能なディスクのようなライトワンス型のディスク状記録媒体に連続的に記録する方法であって、記録された情報が読取専用（read-only）型又は書換可能（rewritable）型のディスクにより規定される斯様な情報の順序付け要件に従うような方法に関する。
【０００２】
また、本発明は、ビデオ／オーディオ情報のような一連の順序づけられたＡ／Ｖ情報信号及びビデオ管理、メニュ情報又はファイル情報のような対応する管理情報信号を連続的に記録する記録装置であって、該記録された情報が読取専用型又は書換可能型のディスクにより規定される斯様な情報の順序付け要件に従い、該記録装置が、光学的に記録可能及び読取可能なディスクのようなライトワンス型のディスク状記録媒体を担持及び回転させる手段と、収束されたレーザビームを該ディスク状記録媒体のトラックにわたって走査させる手段と、該レーザビームを上記ディスク状記録媒体に記録されるべきデジタル情報信号に従って変調する手段と、上記ディスク状記録媒体を走査するレーザビームの反射を検出すると共に該反射を読み取られるべきデジタル情報信号に変換する手段と、入力されたデジタルＡ／Ｖ情報信号を記録されるべき情報信号に変調する手段と、上記デジタル情報信号の上記記録及び読取を制御する制御手段とを有するような記録装置にも関する。
【背景技術】
【０００３】
同様の方法及び装置は、例えば国際特許出願公開第WO01/01416-A1号（出願人整理番号：PHN17522）から既知であるが、該文献に開示された装置及び方法は書換可能型のみのディスクに関するものである。
【０００４】
上記文献に開示されたビデオ記録フォーマット（ＤＶＤビデオフォーマット）は、元々は、オーディオビジュアルコンテンツを複製型（replicated）ディスク（ＤＶＤ−ＲＯＭ／ビデオ）のような読取専用型のディスク上に記憶するために設計された。参照した上記出願には、ビデオをリアルタイムに書換可能型ディスク（ＤＶＤ＋ＲＷ）に再生互換的に記憶するのに適した、ＤＶＤビデオフォーマットの変形、ＤＶＤ＋ＲＷビデオフォーマット、も開示されている。
【０００５】
しかしながら、費用的理由及び記録保存目的のため、ユーザは書換可能型媒体よりも記録可能型（即ち、ライトワンス型）を好む可能性がある。上記ＤＶＤ＋ＲＷビデオフォーマットを使用することもできるが、これは、特定の管理情報及びメニュ構造を実際のビデオコンテンツに先行して記録する必要があるという問題を有している。この管理情報が該ロケーションにないと、当該ディスクはＤＶＤ−ＲＯＭ／ビデオ又はＤＶＤ＋ＲＷプレーヤと互換性がなくなる。
【０００６】
しかしながら、記録可能型ディスク上では、斯様な情報は一度しか記憶することができないので、多重記録又は記録の更新は、互換性に対する制限を受け入れずに実行することはできない。
【発明の開示】
【発明が解決しようとする課題】
【０００７】
従って、本発明の目的は、なかでも、上述した問題点を除去することにある。
【課題を解決するための手段】
【０００８】
一態様によれば、本発明による方法は、線形なアドレス指定空間内に予約領域を配置し、前記Ａ／Ｖ情報信号を前記予約領域に続いて配置されるビデオ記録領域に連続的に記録し、対応する管理データを前記ビデオ記録領域に続く一時総覧空間に記録し、前記記録された管理データを前記予約空間におけるアドレスロケーションにマッピングするためのマッピングテーブルを発生し、該マッピングテーブルを前記一時総覧空間に記録することを特徴とする。
【０００９】
更に、本発明の態様の一つによれば、本発明による記録装置は、前記制御手段が、前記ディスク状記録媒体上の線形なアドレス指定空間内に予約領域を配置し、前記Ａ／Ｖ情報信号を前記予約領域に続いて配置されるビデオ記録領域に連続的に記録し、対応する管理データを前記ビデオ記録領域に続く一時総覧空間に記録し、前記記録された管理データを前記予約空間におけるアドレスロケーションにマッピングするためのマッピングテーブルを発生し、該マッピングテーブルを前記一時総覧空間に記録するように構成されていることを特徴とする。
【００１０】
本発明は、マッピングテーブルにより実際の物理的ロケーションにマッピングされるような仮想の管理領域の概念に基づくものである。ディスクをファイナライズ処理する場合、即ちディスクにリードイン及びリードアウト領域を設けて該ディスクを再生互換的にする場合にのみ、上記管理データ構造は上記予約領域における正しい位置にコピーされる。
【００１１】
本発明による方法の他の有利な実施例は、Ａ／Ｖ情報信号の次のシーケンスを前に記録された領域に続く次のビデオ記録領域に連続的に記録し、次の対応する管理データを前記次のビデオ記録領域に続く次の一時総覧空間に記録し、前記最初の及び次の記録された管理データを前記予約空間におけるアドレスロケーションにマッピングするためのマッピングテーブルを発生し、該マッピングテーブルを上記次の一時総覧空間に記録することを特徴とする。
【００１２】
これは、Ａ／Ｖ情報の複数シーケンスをディスクに記録するという利点を有している。
【００１３】
本発明による方法の次の有利な実施例は、更新された対応する管理データを発生し、少なくとも前記更新された管理データを前の一時総覧空間に続く次の一時総覧空間に記録し、前記更新された管理データ及び残りの管理データを前記予約空間におけるアドレスロケーションにマッピングするための更新されたマッピングテーブルを発生し、該更新されたマッピングテーブルを前記次の一時総覧空間に記録することを特徴とする。
【００１４】
これは、記録されたＡ／Ｖストリームが編集だけされた場合に、上記管理データの更新を可能にする。
【００１５】
本発明による方法の続く有利な実施例は、前記記録された管理データを前記予約領域に最新の前記マッピングテーブルの情報に対応してコピーし、前記予約領域の残りの未記録の区域を任意のデータ信号で記録し、前記予約領域に先行するリードイン領域を読取専用型の又は書換可能型のディスクの規定に従うデータで記録し、記録された領域に続くリードアウト領域を読取専用型の若しくは書換可能型のディスクの規定に従うデータ又は実際のビデオ記録セッションを閉じるための閉鎖データで記録することを特徴とする。
【００１６】
かくして、再生互換性が得られるような態様での管理データの記録を、簡単な素直な態様で実施することができる。
【００１７】
本発明の、これら及び他の態様及び利点は、好ましい実施例の開示を参照して、特には添付図面を参照して詳細に説明されるであろう。
【発明を実施するための最良の形態】
【００１８】
図１は、ＤＶＤ読取専用型の光学的に読み取り可能なディスク上のビデオデータ構造１を示している。該一連のデータは、論理セクタ番号（ＬＳＮ）が増加する順番で左から右方向に配列されており、セクタとは、ＤＶＤディスク上に記憶されたデータをアドレス指定する最小単位である。典型的には、１セクタは２０４８のユーザデータバイトに相当する。明瞭化の目的で、リードイン領域及びリードアウト領域等の付加的なディスク領域は図示されていない。
【００１９】
該ビデオデータ構造１は、ボリューム及びファイルシステム（VOL/FS）データ２、ビデオマネージャ（ＶＭＧ）データ３、幾つかのビデオタイトルセット（VTS#1、VTS#2、VTS#3、…、VTS#n）を有している。
【００２０】
ボリューム及びファイルシステムデータ２は、ユニバーサルディスクフォーマットＵＤＦによるＤＶＤビデオボリューム空間を規定する。１つのボリューム内のビデオデータは、１つのビデオマネージャ（ＶＭＧ）３と、１以上のビデオタイトルセット（ＶＴＳ）４とからなっている。該ファイルシステムデータは、上記ビデオマネージャ（ＶＭＧ）３及びビデオタイトルセット（ＶＴＳ）４を有する所謂ＤＶＤビデオ領域内のデータオブジェクトをアドレス指定することを可能にする。このＤＶＤビデオ領域内のデータオブジェクトを調整するには、該ファイルシステムデータの調整も必要とし得る。
【００２１】
ビデオタイトルセット（ＶＴＳ＃ｎ）は、完全なビデオコンテンツ、即ちタイトルを記述する単位である。該ビデオタイトルセットは、当該ビデオタイトルセット(VTS#n)４におけるタイトル及びメニュを制御するためのＶＴＳ情報(VTSI#n)５と、上記メニュ用のビデオオブジェクトセット(VTSM_VOBS)６と、上記タイトル用のビデオオブジェクトセット(VTSTT_VOBS)７と、上記ＶＴＳＩのバックアップ(BUP_VTSI)８とからなっている。ビデオオブジェクトセット（ＶＯＢＳ）は、ビデオオブジェクト（ＶＯＢ）の集合である。ＶＯＢは、ビデオ、オーディオ、副画像、プログラム制御情報（ＰＣＩ）及びデータ検索情報（ＤＳＩ）等の基本ストリームの群からなるＭＰＥＧプログラムストリームである。ＶＴＳＩ５、VTSM_VOBS６、VTSTT_VOBS７及びVTSI_BUP８は、この順序で配置されなければならない。VTSTT_VOBS７を有するファイルは、連続的に配置されなければならない。
【００２２】
ビデオマネージャ３は、ビデオマネージャ情報(VMGI)９と、ＶＭＧメニュ用のビデオオブジェクトセット(VMGM_VOBS)１０と、ＶＭＧＩのバックアップ(VMGI_BUP)１１とを有している。
【００２３】
図２は、書換可能型（特に、ＤＶＤ＋ＲＷ型による）のＤＶＤディスク上のＤＶＤビデオのデータ構造１２を示し、等価な部分を示すために図１におけるのと同様の符号を使用している。図示のＤＶＤビデオデータ構造１２は、国際特許出願公開第WO01/01416-A1号（出願人整理番号：PHN17522）に開示された方法及び記録装置によるもので、該出願は参照により本明細書に組み込まれるものとする。読取専用型のＤＶＤディスクのための既存のＤＶＤプレーヤとの再生互換性を維持するために、これらのディスクに対する対応するビデオデータ構造１の制限を、特に幾つかの記録がなされる場合に、考慮しなければならない。
【００２４】
図２には、タイトル用のビデオオブジェクトセット（VTSTT_VOBS#1、VTSTT_VOBS#2、VTSTT_VOBS#3）７及び対応するビデオタイトルセット情報（VTSI#1、VTSI#2、VTSI#3）５により表される３つの記録（TITLES）を示す例が挙げられている。参照された方法に典型的なのは、これらデータの順序であり、ＶＴＳ管理情報VTSI５はビデオオブジェクトセットVTSTT_VOBS７に常に先行し、バックアップデータVTSI_BUP８は常に後続する。このデータの順序は１つのビデオオブジェクトタイトルセット(VTSTT_VOBS)と見ることができ、読取専用型のＤＶＤディスクのＤＶＤビデオデータ構造１の制限を満たしている。
【００２５】
これらのデータに加えて、ビデオ記録管理情報データ（ＶＲＭＩ）１３及び対応するバックアップVRMI_BUP１４が存在する。該データは、どの型式のレコーダが当該ディスク上にＤＶＤ／ビデオメニュを発生したかを識別する情報を含んでいる。図示されていないものは、レコーダによりデータを一時的に記憶するために使用され得るビデオ記録管理スクラッチ領域（ＶＲＭスクラッチ）及び幾つかのレコーダに付加的性能を追加するために使用され得るＶＲＭユーザデータ領域等の他の典型的なレコーダ情報データである。このデータは、ＶＲＭＩデータ１３に隣接するであろう。
【００２６】
図３Ａは、本発明の第１実施例による、第１記録の後の記録可能型（１回記録型）のＤＶＤディスク用のＤＶＤビデオデータ構造１５の第１例を示している。この第１記録は、VTSTT_VOBS#1、並びに管理データ領域（MGT1-1、MGT1-2、MGT1-3）１６に記憶される対応するファイル及び管理情報により表されている。これらの領域は、VTSI#1、ＶＭＧ、ＶＲＭＩ、及びＵＤＦのようなファイルシステム情報を有している。加えて、上記ＶＴＳＩのバックアップファイル、ＶＲＭＩ及び第２ＡＤＶＰも、この順序で連続的に記録される。
【００２７】
上記ＡＤＶＰは、ＵＤＦファイルシステムにより必要とされるアンカボリューム記述子ポインタを表している。該ＡＤＶＰは常に固定ロケーションに記憶され、コンピュータシステムが、当該データがＵＤＦフォーマットで記憶されていることを認識するのを可能にする。該ＡＤＶＰは、当該ディスク上に記憶されたデータの構造及びロケーションに関する一連のデータ構造を含むような論理ボリューム記述子シーケンス（ＬＶＤＳ）の位置を与える。これは、１以上のファイルセット記述子ＦＳＤへの参照を含む。このように、該ＡＤＶＰは、（ＵＤＦ）ファイルシステムの始点と見なすことができる。第２ＡＤＶＰは、この（第１）ＡＤＶＰのバックアップである。
【００２８】
しかしながら、本発明を説明するためには、管理データのタイプを示す必要はなく、占有された領域のみを示せばよい。一時総覧空間１７は、前述した特許出願で開示された書換可能型のＤＶＤディスクのためのＤＶＤ／ビデオデータ構造により必要とされる全ての管理情報及び全てのファイル情報を含んでいる。
【００２９】
しかしながら、管理データ領域（ＭＧＴ）１６は、読取専用型又は書換可能型のＤＶＤディスク用のＤＶＤビデオデータ構造により通常必要とされるようにVTSTT_VOBS７の前に記録されるのではなく、第１記録のVTSTT_VOBS７の後で一時総覧空間（ＴＯＳ）１７に記録される。この一時総覧空間（ＴＯＳ）１７は、VTSTT_VOBSの前の予約空間（ＲＥＳ）１９内のロケーションへの上記管理データ領域（ＭＧＴ）のマッピングを含むような予約空間割付テーブル（ＲＳＡＴ）１８を含んでいる。該予約空間１９は、最後の記録がなされ、ディスクファイナライズ処理（最終処理）ステップがなされるまで、記録のためには使用されない。該ファイナライズ処理ステップは、全ての管理データ領域１６を該予約空間１９に上記予約空間割付テーブル１８におけるマッピングを使用してコピーする処理を含む。斯様なファイナライズ処理ステップの後でのみ、読取専用型又は書換可能型のＤＶＤビデオディスク用のＤＶＤプレーヤとの再生互換性が得られる。これを以下に更に詳細に説明する。
【００３０】
予約空間１９は、リードイン領域（ＬＩ）２０の後で開始し、論理セクタ番号Ｒで終了する。典型的なＤＶＤディスクでは、リードイン領域２０後の最初の物理セクタには0003 0000h（ｈは１６進）が割り当てられ、リードアウト領域（ＬＯ）２１の始点に向かって例えば0026 0540hの値まで増加する。これは、2295104d（ｄは十進）の物理セクタに対応し、１つの物理セクタは２０４８個のユーザデータバイトを含む。
【００３１】
しかしながら、全ての物理セクタは、アドレス指定目的で、論理セクタ番号付け（ＬＳＮ）を用いて論理セクタにマッピングされている。リードイン領域２０後の記録空間の始点は、論理セクタ番号0000 0000hにより示され、論理セクタ番号0022 FF40hまでリードアウト領域２１の始点に向かって増加する。
【００３２】
予約空間１９は、論理セクタ番号0000 0000h（又は物理セクタ番号0003 0000h）から論理セクタ番号0000 3FFFh（又は物理セクタ番号0003 3FFFh）まで配列され、約３２Ｍバイトに相当する。この値は、書換可能型のＤＶＤディスクに対するＤＶＤビデオデータ構造に鑑みて選択されている。しかしながら、予約空間１９は如何なる大きさにも選択することができる。更に、複数の予約領域も可能である。
【００３３】
マッピングは、エラー訂正ブロック（ＥＣＣブロック）に基づいて適用することができる。典型的なＤＣＤ
ＥＣＣブロックは、エラー訂正データに加えて１６個の物理セクタを有し得る。ＥＣＣブロック内では、外部で意図する位置であったのと同一の順序で実際の位置に記録される。
【００３４】
追加の記録は、一次総覧空間１７の後の未記録領域(UNREC)においてなされる。記録可能型ディスクがファイナライズ処理されていない限り（開いたセッションの存在によっても示される）、予約空間１９は記録されるべきではない。
【００３５】
次に、図３Ｂは、第２記録がなされた後の、本発明の一実施例によるビデオデータ構造２３を示している。この図において、同一の符号は図３Ａにおける対応する構造を示している。VTSTT_VOBS#2２７により表される該第２記録は、第１の一時総覧空間１７に付加される。対応する管理データ（MGT2-1、MGT2-2）２５及び第２予約空間割付テーブル（RSAT-2）２６は該第２記録に付加される。このRSAT-2は該第２記録の管理データ２５のマッピングのみならず、第１記録の管理データ１６のマッピングをも含む。従って、予約空間割付テーブルRSAT-1は、最早、使用されない。以下に説明するように、予約空間割付テーブルは何のバージョンが古いかを示すために、バージョン番号を有する。
【００３６】
結果として、VTSTT_VOBS#1７、TOS-1１７、VTSTT_VOBS#2及びTOS-2は、連続したVTSTT_VOBSと見なすことができる。該シーケンスはＤＶＤビデオプレーヤには分からないフォーマットのセクタを含むかもしれないが、これらが如何なるプログラムチェーンによっても参照されない限り、プレーヤの正しい動作を妨害することはない。
【００３７】
プログラムチェーンは、読取専用型のＤＶＤディスク用のＤＶＤビデオデータ構造において、全体のタイトル又はメニュの一部を示すために使用される。プログラムチェーンは提示されるべきセルを規定し、セルとは提示されるべき基本単位である。セルは、複数のビデオオブジェクト単位(VOBU)からなり、ＶＯＢの一部を形成する。
【００３８】
次に、図３Ｃは、対応するVTSTT_VOBSに対する変更を行う必要性なしで管理情報に対して更新を実行した後の、本発明の一実施例によるビデオデータ構造２８を示している。例えば、ユーザが記録を編集し、結果としてVRMI１３のみが変更され得る。新たなメニュページが必要となり得る。この場合、VTSTT_VOBS７又は２７を変更する必要はない。
【００３９】
管理データのうちのMGT1-3のみが古くなるから、当該更新は第１記録の管理データ（MGT-1、MGT-2、MGT-3）の一部のみに影響する。MGT-3’と呼ぶMGT1-3の新しいバージョンは、前の一時総覧空間(TOS-2)１８に付加される新たな一時総覧空間(TOS-3)２９に記録される。該TOS-3は、MGT1-3’と、MGT1-3（今では古い）及びMGT1-3’（置換）用に補正された更新されたマッピングを含む新たな予約空間割付テーブル(RSAT-3)３１とを含んでいる。TOS-3を最高のバージョン番号にすることにより示されるように、これにより前の予約空間割付テーブル(RSAT-2)２６は古くなる。
【００４０】
次に、図３Ｄはファイナライズ処理ステップが実行された後の、本発明の一実施例によるビデオデータ構造３２を示している。全てのデータ管理データ(MGT1-1、MGT1-2、MGT1-3’、MGT2-1、MGT2-2)１６、３０、２５は予約空間１９にコピーされ、ＵＤＦのようなファイルシステムデータも有している。管理データ１６、３０、２５により占有されていない該予約空間における残りの空間３３には、任意のデータが記録される。また、リードイン領域２０及びリードアウト領域２１も記録されている。
【００４１】
バックアップファイル(VRMI_BUP、VTSI_BUP)１４、８は最後の一時総覧空間(TOS-3)２９に含まれ、再マッピングされないことに注意されたい。斯様なファイルを一時総覧空間に含めることは、強さを増加させる。また、最後のVRMI_BUPの後には、ＵＤＦファイルシステムにより要求されるように、第２アンカボリューム記述ポインタ(ADVP)３４が存在しなければならない。
【００４２】
図４は、最大で１論理セクタ（２０４８バイト）を有する予約空間割付テーブル(RSAT)１８、２６、３１の第１実施例を示している。
【００４３】
RSAT_ID３５（４バイト）は“ＲＳＡＴ”を含む文字列（string）を含んでいる。
【００４４】
RSAT_COUNT３６（１バイト）は、当該予約空間割付テーブル（１８、２６、３１）のバージョン番号を示す十進数を含む。ＲＳＡＴが最初に記録される場合に、このフィールドは０に設定される。各新たなバージョンのＲＳＡＴに対して、このフィールドの値は１によりインクリメントされる。
【００４５】
PREV_LOC３７（３バイト）は、前のＲＳＡＴを見付けることができるロケーションの論理セクタ番号（ＬＳＮ）を含んでいる。
【００４６】
ITEM_N３８（１バイト）は、ＲＳＡＴマッピングテーブル(RSAT_MAPT)内の使用されたRSAT_ITEMの数を示す。
【００４７】
RSAT_MAPT３９（２０３２バイト）は、各々が８バイトの２５４個のRSAT_ITEM４０を含んでいる。使用されたRSAT_ITEM３９は全ての未使用のRSAT_ITEM３９の前に配置される。未使用のRSAT_ITEM３９の全バイトは０に設定される。使用されたRSAT_ITEM３９は、ＬＩとＬＯとの間のＤＶＤディスクの記録領域を、各々が連続したシーケンスの論理セクタからなるITEM_Nのマッピングセグメントに分割する。これらマッピングセグメントは、同じサイズの目標セグメント上にリニアにマッピングされる。
【００４８】
RSAT_ITEM４０は、この項目のADDR_LOC４２で開始すると共に次の項目のADD_LOC４２の直前で終了するセグメントのマッピング状態を示すようなMAP_STAT４１（２ビット）を含む。次の項目が存在しない場合は、該マッピング状態は、最後の書き込まれるセクタまで全ての後続する論理セクタ番号に対して同一のままとなる。
【００４９】
MAP_STAT４１の可能性のある値は、図４内の表に示されている。00b（二進）は、対応するセグメントは記録されておらず、アドレスロケーションが新たな目標ロケーションにマッピングされていることを示す。01bは、当該セグメントが記録されたセグメント用に予約され、アドレスロケーションが新たな目標ロケーションにマッピングされていることを示す。10bは、セグメントが記録されておらず、目標ロケーションがアドレスされるロケーションと同一であることを示す。11bは、当該セグメントが記録されており、目標ロケーションがアドレスされるロケーションと同一であることを示している。
【００５０】
ADDR_LOC４２（３バイト）は、１６の物理的セクタを有するＥＣＣブロックのような、マッピングセグメントの最初のセクタの論理セクタ番号（ＬＳＮ）を含む。その場合、ADDR_LOC４２は１６の倍数でなければならない。RSAT_ITEM４０はADDR_LOC４２が増加するように、増加する。
【００５１】
TARGET_LOC４３（３バイト）は、目標セグメントの第１セクタの論理セクタ番号（ＬＳＮ）を含む。ADDR_LOC＋ｎにおけるセクタが、TARGET_LOC＋ｎにおけるセクタにマッピングされ、ｎは０ないしADDR_LOC（現）−ADDR_LOC（現）−１の範囲である。
【００５２】
図５は、予約空間割付テーブル（１８、２６、３１）の３つの論理セクタを有する他の実施例を示している。適切な箇所においては、図４におけるのと同様の符号が使用されている。RSAT_ID３５（４バイト）及びRSAT_COUNT３６（２バイト）は同様である。
【００５３】
新たなものは、アプリケーションにより使用されるＲＳＡＴフォーマットモードを示すためのRSAT_FMT_ID４４（１バイト）である。
【００５４】
PREV_LOC３７（３バイト）も、同様である。
【００５５】
END_DATA４５（３バイト）は新たなもので、予約空間１９に割り付けられることを意図していないアプリケーションデータを含む最後のセクタの論理セクタ番号（ＬＳＮ）を含む。RSAT_FMT_ID４４が１に設定されている場合、END_DATA４５はＵＤＦファイルシステムの第２アンカボリューム記述ポインタＡＤＶＰ３４のロケーションを示す。
【００５６】
RSAT_MAPT_SA４６（２バイト）は、ＲＳＡＴの開始アドレスに対するRSAT_MAPT３９のバイトでの開始アドレスを含んでいる。
【００５７】
RSAT_MAPT_SZ４７（２バイト）は、RSAT_MAPTのバイトでの大きさを含んでいる。
【００５８】
RSAT_MAPT３９（２セクタ）は、１０２４のRSAT_ITEM４０（４バイト）を含んでいる。RSAT_ITEM#nは、予約空間１９における(n+1)番目のＥＣＣブロックに関するマッピング情報を含んでいる。
【００５９】
MSTAT４８（１ビット）は、予約空間１９における(n+1)番目のＥＣＣブロックに関するマッピング状態を示す。0b（ｂは二進を示す）は、このＥＣＣブロックが使用中であることを示し、1bは、このＥＣＣブロックが他のロケーションにマッピングされていることを示す。MSTATが0bに等しい場合、ＬＳＮ＝(nx16)からＬＮＳ＝((nx16)+15)の範囲内の論理セクタに関しては何のデータも記録されない。MSTATが1bに等しい場合は、ＬＳＮ＝(nx16)からＬＮＳ＝((nx16)+15)の範囲内の論理セクタに関して記録されたデータは、ACTUAL_LOC４９（３バイト）により示されるロケーションで見付けることができる。
【００６０】
この場合、ACTUAL_LOC４９は当該データが実際に記録されているＥＣＣブロックの第１セクタのＬＳＮを含む。ACTUAL_LOC４９に記録される値は１６の倍数でなければならない。（ACTUAL_LOC４９の最下位側３ビットは常に000bに設定されねばならない。）MSTAT４８が0bに等しい場合、ACTUAL_LOC４９に記録される値は、000000hでなければならない。
【００６１】
図６は、ビデオアプリケーションにおける予約空間割付テーブル(RSAT)１８、２６、３１の可能性のある使用の第１例を示している。図示されているものは、“実際の”ディスクによる記録空間５０、及び該“実際の”ディスクをマッピングすることにより得られるべき“仮想”ディスクによる記録空間５１である。本例において、“実際の”ディスクはファイナライズ処理されておらず、従って管理情報(VRMI13、VMG3、VSTI5)、これらのバックアップ(VSTI_BUP8及びVRMI_BUP14)及びファイル情報(UDF52)は、最後に記録されたVTSTT_VOBS７（前述した管理データ(MGT)１６に対応する）の後に記録されている。
【００６２】
更に示されているものは、MAP_STAT４８及び各データに対する論理セクタ番号（ＬＳＮ）である。記録空間５１は予約空間１９に対応し、“実際の”ディスクをマッピングすることにより得られた“仮想”ディスクを反映している。ＬＳＮ＝ｋとＬＳＮ＝Ｂとの間の領域は、ファイナライズ処理の後で任意のデータにより記録されるべきである。
【００６３】
図６における対応する表は、MAP_STAT４１、アドレス指定されるロケーション(ADDRESSD)及び実際のロケーション(ACTUAL)の対応する値を示している。MAP_STAT４１＝00bはマッピングされているが記録されていないことを示し、10bはマッピングされておらず且つ記録もされていないことを示し、11bはマッピングされていないが記録されていることを示す。
【００６４】
図７は、第２記録を行う場合のビデオアプリケーションにおける予約空間割付テーブル(RSAT)１８、２６、３１の可能性のある使用の第２例を示している。記録空間５３は“実際の”ディスクに対応し、記録空間５４は該“実際”のディスクをマッピングすることにより得られた“仮想”ディスクに対応している。この例は図６に示した例とは、一時総覧空間(TOS)１７における記録空間が管理データ(MGT)１６を相互に連続的に記録させることにより可能な限り小さく維持されている点で相違している。最終処理を行う場合にのみ、正しいロケーション（Ａ、Ｂ、Ｃ、Ｄ）が、予約空間(RES)１９内で未使用中間領域ｐ、ｑ、ｒ及びｓを伴って割り当てられる。
【００６５】
図８は、ビデオレコーダ管理情報(VRMI)１３のみの更新を行う場合の予約空間割付テーブル(RSAT)１８、２６、３１の可能性のある使用の第３の例を示している。“実際の”ディスクの記録空間は５５により示され、対応する“仮想”ディスクのものは５６により示されている。更新のため、以前の予約空間割付テーブル(RSAT-1)２６は最早使用されず、次の予約空間割付テーブル(RSAT-2)３１により置換される。該RSAT-2は、更新されたVRMI５７用のマッピングにより置換される古いVRMI１３のマッピングを除き、RSAT-1に含まれる古いマッピングを有する。
【００６６】
図９は、予約空間割付テーブル(RSAT)１８、２６、３１の割付の一実施例を示している。この実施例においては、RSAT１８、２６、３１用に確保された領域は、予約空間１９のうちの最後の２ないし３個の記録されたＥＣＣブロック５７からなり、各ブロックがRSAT１８、２６、３１を含んでいる。各出現は同一であって、各ＥＣＣブロック５７における第１セクタの第１バイトの前に配置される。RSAT１８、２６、３１に属さない全てのバイトは、予約され、如何なる任意の値にも設定される。
【００６７】
図１０は、予約空間割付テーブル(RSAT)を用いた、本発明の一実施例による記録方法を示す。該方法は、ロードされたアプリケーションプログラムを実行する汎用プロセッサにより実施することができる。例えば、コンピュータシステムに結合された独立型ディスクドライブの場合等である。また、該方法は専用の処理ハードウェアにより実行することもできる。例えば、記録装置内の組込型ディスクドライブの場合等である。また、機能の一部はドライブ自体に組み込むこともできる。
【００６８】
第１ステップ５８において、記録可能型のブランクディスク上に第１記録のみがなされるべきかが判断される。もしそうなら、ステップ５９において、ドライブは物理セクタ番号ＰＳＮ＝0003 0000hからＰＳＮ＝0003 3FF0hまでにおいて予約空間(RES)１９を作成するよう要求される。ステップ６０において、第１記録用のオーディオビジュアルコンテンツを伴うＭＰＥＧ−２プログラムストリーム等のオーディオ／ビデオ情報信号が、アドレスＰＳＮ＝0003 4000hから開始して書き込まれる。記録は、１６セクタの境界（１６セクタのＥＣＣブロックに鑑みて）において停止する。該記録されたストリームは、図２を参照して説明した書換可能型のＤＶＤディスクに関するＤＶＤビデオデータ構造１２に規定されたタイトル用ビデオオブジェクトセット（VTSTT_VOBS）の仕様に従う。
【００６９】
ステップ６１において、上記仕様により要求される全ての管理データ(MGT)１６が上記の記録されたオーディオ／ビデオ信号に続いて記録される。ビデオタイトルセット情報用のバックアップファイル(VTSI_BUP)５、ビデオレコーダ管理情報のバックアップファイル(VRMI_BUP)１４及び第２アンカボリューム記述子３４が、この順番で連続的に記録される。
【００７０】
最後に、ステップ６２において、予約空間割付テーブル(RSAT)１８、２６、３１の２又は３の例を含むような、例えば３２又は４８セクタの予約空間割付テーブル(RSAT)１８、２６、３１用の領域が０に設定されたバージョン番号を伴って付加される。
【００７１】
図３Ａは、斯様な第１記録の後の結果を図示している。
【００７２】
ステップ５８又はステップ６３の何れかにおいて、第２以降の記録がなされなければならないと判断された場合、ＭＰＥＧ−２プログラムストリームのような第２オーディオ／ビデオ情報ストリームが、ステップ６２後の最後に書き込まれたアドレスから開始して書き込まれる。物理セクタアドレス番号ＰＳＮ＝0003 4000hから開始して該第２記録までの領域は、上述したVTSTT_VOBS仕様に従う。先に書き込まれた管理データ(MGT1)１６及び予約空間割付テーブル(RSAT-1)１８は、該新たなVTSTT_VOBS２７により完全に吸収される。
【００７３】
再び、ステップ６５において、全ての新たな管理データ(MGT2)２５が、新たなタイトル用ビデオオブジェクトセット(VTSTT_VOBS#2)２７に含まれる第２記録に続いて記録される。
【００７４】
ステップ６６においては、新たな予約空間割付テーブル(RSAT-2)２６が、１にインクリメントされたバージョン番号を伴ってステップ６２と同様にして付加される。この結果が、図３Ｂに示されている。
【００７５】
ステップ６７においては、管理データ(MGT)１６の更新のみが記録されねばならないかが判断される。もしそうなら、ステップ６７’においてVRMI１３の新たなバージョン、バックアップVRMI_BUP１４及び（必要なら）VMG３ファイルが記録される。
【００７６】
ステップ６８において、新たな第２ADVP３４が少なくともVRMI_BUP１４の後に記録される。両者は、対応するRSATによってはマッピングされない。もし必要なら、ステップ６９においてファイルシステムデータの一部が再書き込みされる。最後に、ステップ７０において、追加のRSAT-3３１が３にインクリメントされたバージョン番号を伴って付加される。結果は、図３Ｄに示すようになる。
【００７７】
更新も記録も必要とされない場合、ステップ７１において現在の記録セッションが閉じられるべきか又は開いたままとすべきか（ステップ７２）が判断される。セッションが開いたままとされる場合、当該ディスクは予約空間(RES)１９及び一時総覧空間(TOS)１７を含んでいるべきである。
【００７８】
当該セッションが閉じられるべき場合、ステップ７３において、管理データ(MGT)１６、２５、３０は一時総覧空間(TOS)１７、２４、２９から予約空間(RES)１９へ、予約空間割付テーブル(TSAT)１８、２６、３１に含まれるマッピング情報に従ってコピーされる。次に、ステップ７４において、予約空間(RES)１９における前の記録ステップの後に依然として記録されていない全てのセクタに任意のデータが記録される。
【００７９】
ステップ７５においては、最後の第２アンカボリューム記述子(ADVP)３４が当該データ構造の終わりに追加される。ステップ７６において、リードイン領域（ＬＩ）２０が、この領域に対する要件に従って記録される。最後に、ステップ７７において、当該セッションは適切な閉鎖データを記録することにより閉じられる。その場合、ライトワンス型のディスクに関する指定されたＤＶＤビデオデータ構造による、これ以上のコンテンツは記録することができない。もっとも、他のデータを追加することは依然として可能である。
【００８０】
他の例として、当該ディスクは上記の閉鎖データの代わりにリードアウト領域２１を記録することにより最終処理することもできる。その場合も、他のデータは記録することができない。
【００８１】
読取専用型のＤＶＤディスク用のＤＶＤビデオデータ構造との互換性は、当該ディスクがリードイン（ＬＩ）２０を有し、全セッションが閉じられており、リードイン（ＬＩ）２０の始点と最後の閉鎖又はリードアウト（ＬＯ）２１の終点との間にブランク領域がない場合にのみ得られる。
【００８２】
図１１は、本発明の一実施例による記録装置を示している。ＤＶＤライトワンス型の記録可能型ディスク７９は、サーボモータ制御手段８１により制御される回転駆動手段８０により回転される。このサーボモータ制御手段８１は、ディスク７９を収束された読取／記録レーザビーム８３によりトラック８４に沿って走査するための光学読取／記録ユニット８２の位置決めも制御する。
【００８３】
このユニット８２は、レーザビーム発生手段及び反射された放射を電気信号に変換する放射感知検出器を有している。これら電気信号により表されたデジタルデータはバッファメモリ手段８５に記憶される。チャンネル復調手段８６及びエラー訂正手段８７は、チャンネル符号化情報を各々復調及びエラー訂正し、ユーザデータを得る。該ユーザデータは、ビデオデータの場合、例えばＭＰＥＧ−２フォーマットのような適切な圧縮フォーマットに従い圧縮されている。該圧縮されたユーザデータは、復号手段（例えばＭＰＥＧ−２デコーダ）８８により伸張され、ＤＡ変換器によりアナログ信号に変換される。上記ユーザデータは、他の例として、デジタルで出力し、適切な変換符号化手段８９を用いることにより圧縮することもできる。
【００８４】
逆に、入力されたアナログ信号は、ＡＤ変換器を介してデジタル信号に変換され、次いで適切な符号化手段９０によりＭＰＥＧ−２圧縮され、エラー訂正手段９１によりエラー訂正データが設けられ、チャンネル変調手段９２によりチャンネル符号化される。また、デジタル圧縮された信号を第２変換符号化手段１００を介して入力することもできる。
【００８５】
ＤＶＤディスクの場合における上記チャンネル変調は、ＥＦＭ＋型である。
【００８６】
制御ユニット９３は、各ユニット自体及びこれらユニット間の共動動作を、図にはこれ以上示さない制御信号により制御することができる。この目的のため、上記制御ユニットは、読取専用型（ＲＯＭ）、ランダムアクセス型（ＲＡＭ）及び／又は消去可能プログラマブル型(EPROM)の電子メモリ手段９５、９６及び９７に接続された汎用プロセッサ手段９４を有している。該プロセッサ手段９４は、上述したメモリ手段９５〜９７に記憶され、ロードされるコンピュータ制御プログラムに従って動作し、上述した方法を実行する。制御命令を入力するために、制御ユニット９３はユーザインターフェース手段９８及びユーザコマンド手段９９に接続されている。
【００８７】
図１１に示される記録装置は、独立型の記録装置であってもよく、請求項に記載した方法を実行するためのプログラムが供給される汎用コンピュータ手段に接続されたディスク記録ドライブの組み合わせでもよい。
【００８８】
以上、本発明を好ましい実施例を参照して説明したが、これら実施例は制限するための例ではないと理解されたい。従って、これらの種々の変形例は、当業者にとっては、請求項に記載された本発明の範囲から逸脱すること無しに明らかとなるであろう。例えば、本発明は記録可能型の光学的に読み取り可能なＤＶＤディスクに関連して説明されているが、他の型式の記録可能型ディスクも使用することができる。また、本発明はハードウェア及びソフトウェアの両者により実施化することができ、幾つかの“手段”はハードウェアの同一のアイテムにより表すこともできる。
【００８９】
更に、本発明は各々の及び全ての新規なフィーチャ又はフィーチャの組み合わせに存するものである。また、“有する”なる文言は、請求項に記載されたもの以外の他の構成要素及びステップの存在を排除するものではない。また、如何なる符号も請求項の範囲を限定するものではない。
【図面の簡単な説明】
【００９０】
【図１】図１は、読取専用型のＤＶＤディスク上におけるＤＶＤ−ビデオのデータ構造を示す。
【図２】図２は、書換可能型のＤＶＤディスク上におけるＤＶＤ−ビデオのデータ構造を示す。
【図３Ａ】図３Ａは、本発明による、記録可能型のＤＶＤディスク上におけるＤＶＤビデオのデータ構造を示す。
【図３Ｂ】図３Ｂも、本発明による、記録可能型のＤＶＤディスク上におけるＤＶＤビデオのデータ構造を示す。
【図３Ｃ】図３Ｃも、本発明による、記録可能型のＤＶＤディスク上におけるＤＶＤビデオのデータ構造を示す。
【図３Ｄ】図３Ｄも、本発明による、記録可能型のＤＶＤディスク上におけるＤＶＤビデオのデータ構造を示す。
【図４】図４は、本発明の第１実施例による予約空間割付テーブルを示す。
【図５】図５は、本発明の第２実施例による予約空間割付テーブルを示す。
【図６】図６は、予約空間割付テーブルの第１の使用例を示す。
【図７】図７は、第２記録を行う場合の予約空間割付テーブルの第２の使用例を示す。
【図８】図８は、管理情報の更新を行う場合の予約空間割付テーブルの第３の使用例を示す。
【図９】図９は、予約空間割付テーブルの割付の一実施例を示す。
【図１０】図１０は、本発明の一実施例による、予約空間割付テーブルを使用して記録する方法を示す。
【図１１】図１１は、本発明による記録装置を示す。
【図１０】
2005505093.tif 000003
【国際公開パンフレット】
2005505093.tif 000004
2005505093.tif 000005
2005505093.tif 000006
2005505093.tif 000007
2005505093.tif 000008
2005505093.tif 000009
2005505093.tif 000010
2005505093.tif 000011
2005505093.tif 000012
2005505093.tif 000013
2005505093.tif 000014
2005505093.tif 000015
2005505093.tif 000016
2005505093.tif 000017
2005505093.tif 000018
2005505093.tif 000019
2005505093.tif 000020
2005505093.tif 000021
2005505093.tif 000022
2005505093.tif 000023
2005505093.tif 000024
2005505093.tif 000025
2005505093.tif 000026
2005505093.tif 000027
2005505093.tif 000028
2005505093.tif 000029
2005505093.tif 000030
2005505093.tif 000031
2005505093.tif 000032
2005505093.tif 000033
2005505093.tif 000034
2005505093.tif 000035
【国際公開パンフレット（コレクトバージョン）】
2005505093.tif 000036
【国際調査報告】
2005505093.tif 000037
2005505093.tif 000038
2005505093.tif 000039
2005505093.tif 000040